(57)【要約】【課題】解体性が良い携帯端末装置を提供する。【解決手段】本発明の一形態に係る携帯端末装置１は、底面を囲むように設けられる側壁２ｂを有する筐体２と、筐体２を覆う表示パネル６と、筐体２と表示パネル６で形成される空間内であって、表示パネル６と向かい合う位置に配置される複数の部材と、表示パネル６を複数の部材に跨って接合する接合部材５と、を備え、接合部材５は、表示パネル６との接合面の接合強度と複数の部材との接合面の接合強度とが異なる。このとき、複数の部材の少なくとも１つの部材における接合部材５との接合面の表面粗さは、表示パネル６における接合部材５との接合面の表面粗さより大きく、接合部材５における表示パネル６との接合面の接合強度は、接合部材５における複数の部材との接合面の接合強度に比べて高いことが好ましい。【選択図】図３
2014044280.tif 000002
【特許請求の範囲】
【請求項１】
底面を囲むように設けられる側壁を有する筐体と、
前記筐体を覆う表示パネルと、
前記筐体と前記表示パネルで形成される空間内であって、前記表示パネルと向かい合う位置に配置される複数の部材と、
前記表示パネルを前記複数の部材に跨って接合する接合部材と、を備え、
前記接合部材は、前記表示パネルとの接合面の接合強度と前記複数の部材との接合面の接合強度とが異なる携帯端末装置。
【請求項２】
前記複数の部材の少なくとも１つの部材における前記接合部材との接合面の表面粗さは、前記表示パネルにおける前記接合部材との接合面の表面粗さより大きく、
前記接合部材における前記表示パネルとの接合面の接合強度は、前記接合部材における前記複数の部材との接合面の接合強度に比べて高い請求項１に記載の携帯端末装置。
【請求項３】
前記複数の部材は、フレームと保護部材とを有し、
前記フレームは、前記筐体に固定される金属フレームであり、前記表示パネルが接合される接合面を有し、
前記保護部材は、前記筐体の側壁に固定されており、前記表示パネルの周縁を囲むリブ部と、前記リブ部が設けられ、前記表示パネルと前記筐体の側壁との間に配置される水平部と、を有し、前記水平部は、前記フレームの接合面と略平行に配置され、前記表示パネルが接合される接合面を有し、
前記接合部材は、前記フレームの接合面と前記保護部材の接合面とを跨ぐように配置されている請求項１又は２に記載の携帯端末装置。
【請求項４】
前記接合部材は、前記表示パネルの周囲に配置されており、
前記接合部材は、外方側に開口を有する切り欠き部を備える請求項１乃至３のいずれか１項に記載の携帯端末装置。
【請求項５】
前記保護部材は、前記水平部に複数設けられ、前記筐体の側壁に設けられた嵌合部と嵌合するフック部を有し、
前記フック部は、側方から見ると前記接合部材の切り欠き部が配置された部分を除いて配置されている請求項４に記載の携帯端末装置。
【発明の詳細な説明】
【技術分野】
【０００１】
本発明は、携帯端末装置に関する。
【背景技術】
【０００２】
近年、携帯電話やスマートフォン等の携帯端末装置が広く普及している。ここで、携帯端末装置は、表示パネルの大型化や解体容易性等を考慮した構成とされていることが好ましい。例えば特許文献１の携帯端末装置は、表示パネルの周囲を筐体の周囲に設けられた側壁に両面接合テープを介して接合している。
【先行技術文献】
【特許文献】
【０００３】
【特許文献１】特開２０１２−９５１５２号公報
【発明の概要】
【発明が解決しようとする課題】
【０００４】
特許文献１の携帯端末装置は、両面接合テープにおける表示パネルとの接合面の接合強度と、両面接合テープにおける筐体の側壁との接合面の接合強度と、の関係を考慮していない。そのため、携帯端末装置の解体性が悪い場合がある。
【０００５】
本発明の目的は、上述した課題を解決するためになされたものであり、解体性が良い携帯端末装置を提供することにある。
【課題を解決するための手段】
【０００６】
本発明の一形態に係る携帯端末装置は、底面を囲むように設けられる側壁を有する筐体と、前記筐体を覆う表示パネルと、前記筐体と前記表示パネルで形成される空間内であって、前記表示パネルと向かい合う位置に配置される複数の部材と、前記表示パネルを前記複数の部材に跨って接合する接合部材と、を備え、前記接合部材は、前記表示パネルとの接合面の接合強度と前記複数の部材との接合面の接合強度とが異なる。
【発明の効果】
【０００７】
本発明によれば、解体性が良い携帯端末装置を提供することができる。
【図面の簡単な説明】
【０００８】
【図１】本発明の実施の形態に係る携帯端末装置を示す斜視図である。
【図２】本発明の実施の形態に係る携帯端末装置を、基板及びバッテリを省略して示す分解斜視図である。
【図３】本発明の実施の形態に係る携帯端末装置を示す左右方向の縦断面図である。
【図４】図３のＡ部分の拡大図である。
【図５】図３のＢ部分の拡大図である。
【図６】保護部材を示す底面斜視図である。
【図７】異なる接合部材を示す平面図である。
【図８】本発明の実施の形態に係る異なる携帯端末装置を、基板及びバッテリを省略して示す分解斜視図である。
【発明を実施するための形態】
【０００９】
本発明の実施の形態に係る携帯端末装置について説明する。但し、本発明が以下の実施の形態に限定される訳ではない。また、説明を明確にするため、以下の記載及び図面は、適宜、簡略化されている。
【００１０】
本実施の形態に係る携帯端末装置は、例えばスマートフォン、タブレット型の携帯端末装置、携帯電話、ゲーム機、電子書籍端末等として好適である。
【００１１】
先ず、本実施の形態に係る携帯端末装置の基本構成を説明する。図１及び図２に示すように、携帯端末装置１は、筐体２、フレーム３、保護部材４、接合部材５及び表示パネル６等を備えており、筐体２と表示パネル６とで形成される密閉空間内に、基板やバッテリ等が収容されている。
【００１２】
筐体２は、図２乃至図５に示すように、所定の部材（基板やバッテリ等を備えるフレーム、アンテナ、スピーカ、カメラ等）を収容可能な凹部２ａ、及び当該凹部２ａの周囲に設けられている側壁２ｂを備えている。
【００１３】
筐体２は、薄型化、高強度化を達成するため剛性の高い材料で構成することが好ましい。例えば、筐体２は、炭素繊維を含むカーボンコンポジット材料（炭素繊維強化プラスチック（ＣＦＲＰ：Carbon Fiber Reinforced Plastics））を用いて構成することができる。カーボンコンポジット材料は、カーボンを５０体積％以上含み、シリカ、アルミナなどの無機系の粘結剤、ファイバなどを含む複合材料である。カーボンコンポジット材料は、高い強度と軽さを併せ持つ。また、筐体２は、アルミニウム、アルミニウム合金、マグネシウム合金等の金属材料を用いて構成しても良い。
【００１４】
フレーム３は、図２に示すように、筐体２の長手方向に延びるフレーム部材３ａ、３ｂ、及び筐体２の長手方向と交差する方向に延び、フレーム部材３ａと３ｂとを連結する複数の梁部材３ｃ、３ｄ、３ｅを備えている。フレーム部材３ａ、３ｂ及び梁部材３ｃ、３ｅにおける表示パネル６と向かい合う面は表示パネル６との接合面とされている。
【００１５】
フレーム３は、基板やバッテリ等を保持するための部材であるので、ある程度の強度を必要とする。よって、フレーム３は金属材料を用いて形成することが好ましい。フレーム３に用いる材料としては、例えば、マグネシウム合金、アルミニウム、ステンレス等を挙げることができる。なお、携帯端末装置の軽量化を考慮すると、マグネシウム合金を用いることが好ましく、例えばダイカストによって成形される。
【００１６】
基板やバッテリ等が固定されたフレーム３は、例えば筐体２の凹部２ａの角部に設けられている取り付け部にねじ等を用いて固定することができる。なお、本明細書では、説明を簡単にするために、本発明の構成に直接関係しない基板やバッテリ等の構成要素については、適宜図示を省略すると共に、詳細な説明を省略している。
【００１７】
保護部材４は、表示パネル６の周縁を保護する。本実施の形態の保護部材４は、図３乃至図５に示すように、表示パネル６を囲むリブ部４ａ、及び当該リブ部４ａが設けられ、筐体２の側壁２ｂと表示パネル６との間に配置される水平部４ｂを備えている。この水平部４ｂにおける表示パネル６と向かい合う面は表示パネル６との接合面とされており、フレーム３の接合面と略平行に配置されている。
【００１８】
保護部材４は、図２及び図６に示すように、水平部４ｂに設けられた複数のフック部４ｃを備えている。このフック部４ｃを筐体２の側壁２ｂに設けられている突出部２ｃと嵌合させることで保護部材４を筐体２の側壁２ｂに固定することができる。なお、図２及び図６に示す保護部材４に設けられているフック部４ｃの配置は一例であり、保護部材４に設けるフック部の数や配置は任意に決定することができる。
【００１９】
保護部材４は筐体２や表示パネル６と比較して軟らかい材料、つまり剛性が低い材料を用いて形成することができる。例えば、保護部材４は樹脂材料（ポリカーボネート等の汎用のエンジニアリングプラスチックや熱可塑性エラストマ等）を用いて形成することができる。
【００２０】
接合部材５は、フレーム３及び保護部材４と表示パネル６とを接合するための部材である。本実施の形態の接合部材５は、両面接合テープである。この接合部材５は、表示パネル６の表示領域を囲むように配置されている。そして、接合部材５は、フレーム３の接合面と保護部材４の接合面とを跨ぐように配置されている。つまり、接合部材５の一方の接合面は、表示パネル６の周囲と接合されている。また、接合部材５の他方の接合面は、フレーム３及び保護部材４の接合面と接合されている。なお、接合部材５の詳細については後述する。
【００２１】
表示パネル６は、例えば液晶パネルや有機ＥＬ（Electro Luminescence）パネル等を備えている。表示パネル６はタッチパネルを備えていても良い。表示パネル６は、フレーム３及び保護部材４を介して、筐体２を覆うように筐体２に取り付けられる。ここで、表示パネル６は液晶等を外部環境から保護する必要があるので、例えば透明で且つ剛性が高い材料（例えば、強化ガラスなど）を用いて形成する。
【００２２】
次に、本実施の形態の接合部材５について詳細に説明する。ここで、表示パネル６は例えば強化ガラス等を用いて形成されるため、表示パネル６における接合部材５との接合面の表面粗さは、接合される他の部材と比較して小さい。つまり、表示パネル６における接合部材５との接合面は、接合される他の部材と比較して滑らかである。
【００２３】
一方、フレーム３は例えばダイカストによって成形されるため、フレーム３における接合部材５との接合面の表面粗さは、接合される他の部材と比較して大きい。つまり、フレーム３における接合部材５との接合面は、接合される他の部材と比較して粗い。
【００２４】
つまり、フレーム３における接合部材５との接合面の表面粗さは、表示パネル６における接合部材５との接合面の表面粗さより大きい。そのため、フレーム３における接合部材５との接合面は、表示パネル６における接合部材５との接合面に比べて、接合部材５が剥がれ難く、糊残りが生じ易い。部材に残った糊を除去する作業は煩雑で、携帯端末装置の解体性を低下させる。
【００２５】
本実施の形態の接合部材５は、表示パネル６との接合面の接合強度をフレーム３及び保護部材４の接合面との接合強度より高い構成とされている。これにより、携帯端末装置１を解体するために、表示パネル６を筐体２から分離しようとすると、接合部材５は表示パネル６側の接合強度が高いので、接合強度が低い側の接合面がフレーム３及び保護部材４から剥がれ、フレーム３及び保護部材４への糊残りを抑制することができる。そして、表示パネル６は表面粗さが小さいので、接合部材５を簡単に剥がすことができる。したがって、本実施の形態の携帯端末装置１は解体性が高く、結果として部品の再利用率を向上させることができる。
【００２６】
次に、本実施の形態の携帯端末装置１を解体する手順を説明する。先ず保護部材４のリブ部４ａを引っ張って水平部４ｂを表示パネル６と筐体２の側壁２ｂとの間から引く抜き、側方から接合部材５を部分的に露出させる。このとき、接合部材５における保護部材４側の接合強度は表示パネル６側の接合強度に比べて低いので、簡単に水平部４ｂを表示パネル６と筐体２の側壁２ｂとの間から引き抜くことができる。
【００２７】
次に、接合部材５が露出する表示パネル６と筐体２の側壁２ｂとの間の部分にスクレッパー等の板状部材を挿入し、当該板状部材を接合部材５とフレーム３との間に挿入する。このときも、接合部材５におけるフレーム３側の接合強度は表示パネル６側の接合強度に比べて低いので、簡単に板状部材を接合部材５とフレーム３との間に挿入することができる。
【００２８】
次に、板状部材を接合部材５とフレーム３との間に挿入した状態で、板状部材を携帯端末装置１の周縁に沿って移動させ、接合部材５をフレーム３及び保護部材４から剥がす。このとき、接合部材５におけるフレーム３側の接合強度は表示パネル６側の接合強度に比べて低いので、フレーム３への糊残りを抑制することができる。
【００２９】
上述のように接合部材５をフレーム３及び保護部材４から剥がすと、表示パネル６を傷つけずに簡単に筐体２から分離することができる。その後、筐体２からフレーム３や保護部材４等を取り外すと、携帯端末装置１を解体することができる。
【００３０】
ここで、図７に示すように、表示パネル６と筐体２の側壁２ｂとの間に、板状部材を挿入し易いように、接合部材５は外方に開口する切り欠き部５ａを備えていることが好ましい。これにより、板状部材を表示パネル６と筐体２の側壁２ｂとの間に簡単に挿入することができ、携帯端末装置１の解体性を高めることができる。
【００３１】
また、図８に示すように、保護部材４のリブ部４ａを引っ張って水平部４ｂを表示パネル６と筐体２の側壁２ｂとの間から容易に引き抜くことができるように、保護部材４のフック部４ｃは、水平部４ｂを引き抜くことを想定する部分を除いた部分に配置されていることが好ましい。本実施の形態では、フック部４ｃが接合部材５の切り欠き部５ａに対応する部分を除いた部分に配置されている。つまり、側方から見ると、接合部材５の切り欠き部５ａが配置される部分には、保護部材４のフック部４ｃが配置されていない。これにより、保護部材４の水平部４ｂを表示パネル６と筐体２の側壁２ｂとの間から簡単に引き抜くことができると共に、板状部材を表示パネル６と筐体２の側壁２ｂとの間に簡単に挿入することができ、携帯端末装置１の解体性をさらに高めることができる。
【００３２】
本発明は上記実施の形態に限られたものではなく、趣旨を逸脱しない範囲で適宜変更することが可能である。例えば上記実施の形態では、接合部材５をフレーム３と保護部材４とに跨ぐように配置したが、この限りでない。例えば、保護部材４の水平部４ｂを省略して、接合部材５をフレーム３と筐体２の側壁２ｂとに跨ぐように配置しても良い。要するに、接合部材５を介して表示パネル６を筐体２に接合できるように、接合部材５が複数の部材（筐体２を含む。）に跨るように配置されていれば良い。
【符号の説明】
【００３３】
１  携帯端末装置
２  筐体、２ａ  凹部、２ｂ  側壁、２ｃ  突出部
３  フレーム、３ａ、３ｂ  フレーム部材、３ｃ、３ｄ、３ｅ  梁部材
４  保護部材、４ａ  リブ部、４ｂ  水平部、４ｃ  フック部
５  接合部材、５ａ  切り欠き部
６  表示パネル
【図１】
2014044280.tif 000003
【図２】
2014044280.tif 000004
【図３】
2014044280.tif 000005
【図４】
2014044280.tif 000006
【図５】
2014044280.tif 000007
【図６】
2014044280.tif 000008
【図７】
2014044280.tif 000009
【図８】
2014044280.tif 000010